(57)【要約】      （修正有）【課題】主として、店舗等の入口に敷設される玄関マット等のマットと、そのようなマットを使用する方法に関し、従来とは全く異なる流通過程に適用することができ、しかも構成が簡易で製造コストが高くつくこともない玄関マット等のマットを提供する。【解決手段】マット本体１と、宣伝、広告、社名、商品名等の表示がなされ表示体とからなり、且つ前記マット本体は前記表示体に着脱自在に設けられていることを特徴とする。【選択図】図１
2007322828.tif 000002
【特許請求の範囲】
【請求項１】
マット本体（１）と、宣伝、広告等の情報表示がなされる表示体（２）とからなり、且つ前記マット本体（１）は前記表示体（２）に着脱自在に設けられていることを特徴とするマット。
【請求項２】
表示体（２）が、宣伝、広告等の情報表示がなされる表示用シート（４）と、該表示用シート（４）の表面側に設けられる透明な窓用シート（３）と、該表示用シート（４）と窓用シート（３）とを保持させるカバー体（５）とを具備して構成されている請求項１記載のマット。
【請求項３】
カバー体（５）の背面側に、さらに背面側保持シート（６）が設けられて、該カバー体（５）と背面側保持シート（６）間でマット本体（１）が挟持されるように構成されている請求項２記載のマット。
【請求項４】
マット本体（１）を載置可能な延出片（１９）が、カバー体（５）に一体的に形成されている請求項２記載のマット。
【請求項５】
請求項１乃至４のいずれかに記載のマットの使用方法であって、マットを保有する事業者が、宣伝、広告等の情報の表示を依頼する事業者に依頼された情報を表示体（２）に表示し、該依頼された情報が表示された表示体（２）にマット本体（１）を取り付け、前記情報の表示を依頼する事業者とは別の事業者であって、前記表示体（２）にマット本体（１）が取り付けられたマットの貸与を受ける事業者の事業所の入口に、前記マットを設置することを特徴とするマットの使用方法。
【発明の詳細な説明】
【技術分野】
【０００１】
本発明はマットとその使用方法、主として、店舗等の入口に敷設される玄関マット等のマットと、そのようなマットを使用する方法に関する。
【背景技術】
【０００２】
従来より、レストラン、喫茶店、小売店、ホテル等の各種の店舗の入口に玄関マットが敷設されている。このような玄関マットは、本来は土や砂、水分等の除去、吸収用として使用されるものであったが、最近では玄関マットの表面に、各種の宣伝、広告等が表示されている。
【０００３】
このような宣伝、広告等が表示しうる玄関マットに関し、たとえば下記特許文献１のような出願がなされている。
【０００４】
【特許文献１】特開２００３−６１８９６号公報
【０００５】
この特許文献１に係る発明は、煩わしい管理の手間や付け替え作業等を必要とすることなく、１枚の玄関マットの表面に、見る方向によって異なるメッセージが視認できるようなマットを提供することを目的とし、マット本体の上側にレンチキュラーレンズを設けて見る角度によって異なるメッセージを付与することができるようにしたものである。
【０００６】
また、上記のような玄関マットは、レストラン、喫茶店、小売店、ホテルのような各種の店舗等の事業所に対して、有償で貸与されており、適時そのマットを洗浄するとともに、洗浄済のマットを交換することを事業化したサービスも実施されている。このような場合、一般には契約に定められる周期でサービス要員が巡回して定期的に実施されているのが現状である。そして、このようなマットを交換するのは、マットが汚れるからであり、汚れたマットを洗浄した後に、再び顧客に貸与することにより、事業者は利益を得ている。
【０００７】
このような観点から、マットが交換貸与品であることに鑑みて下記特許文献２のような特許出願もなされている。
【０００８】
【特許文献２】特開２００３−２９９６０９号公報
【０００９】
この特許出願は、定量化した汚れの基準に従って交換時期を判断し、通知することによって交換が遅れたり、交換頻度が不必要に高くなったりするのを防止することができる交換貸与品としてのマットを提供することを課題とし、マット本体の汚れの目安を汚れ度として検出する汚れ度検出手段と、汚れ度検出手段により検出される汚れ度が規定のしきい値に達したと判断されたときに、交換要求信号を送出する通知手段をマットに具備させたものである。
【００１０】
ただし、上記特許文献１及び特許文献２ともにマットの構成は複雑となり、また製造コストも高くなるという問題があり、実用には供しがたいという難点がある。
【発明の開示】
【発明が解決しようとする課題】
【００１１】
本発明は、上記のような従来の出願とは全く異なる観点から、従来とは全く異なる流通過程に適用することができ、しかも構成が簡易で製造コストが高くつくこともない玄関マット等のマットを提供することを課題とする。
【課題を解決するための手段】
【００１２】
本発明は、このような課題を解決するためになされたもので、請求項１記載の発明は、マット本体と、宣伝、広告、社名、商品名等の表示がなされ表示体とからなり、且つ前記マット本体は前記表示体に着脱自在に設けられていることを特徴とする。
【００１３】
また請求項２記載の発明は、請求項１記載のマットにおいて、表示体２が、宣伝、広告等の情報表示がなされる表示用シート４と、該表示用シート４の表面側に設けられる透明な窓用シート３と、該表示用シート４と窓用シート３とを保持させるカバー体５とを具備して構成されていることを特徴とする。
【００１４】
さらに請求項３記載の発明は、請求項２記載のマットにおいて、カバー体５の背面側に、さらに背面側保持シート６が設けられて、該カバー体５と背面側保持シート６間でマット本体１が挟持されるように構成されていることを特徴とする。さらに請求項４記載の発明は、請求項２記載のマットにおいて、マット本体１を載置可能な延出片１９が、カバー体５に一体的に形成されていることを特徴とする。
【００１５】
さらにマットの使用方法に係る請求項５記載の発明は、請求項１乃至４のいずれかに記載のマットの使用方法であって、マットを保有する事業者が、宣伝、広告等の情報の表示を依頼する事業者に依頼された情報を表示体２に表示し、該依頼された情報が表示された表示体２にマット本体１を取り付け、前記情報の表示を依頼する事業者とは別の事業者であって、前記表示体２にマット本体１が取り付けられたマットの貸与を受ける事業者の事業所の入口に、前記マットを設置することを特徴とする。
【発明の効果】
【００１６】
本発明のマットは、マット本体と、宣伝、広告、社名、商品名等の表示がなされる表示体とからなり、且つ前記マット本体は前記表示体に着脱自在に設けられているものであるため、このようなマットを保有する事業者は、たとえば宣伝、広告等を依頼された事業者の宣伝、広告、社名、商品名等の情報を前記表示体に表示し、その表示体にマット本体を取り付けて構成したマットを、上記宣伝、広告等を依頼された事業者とは別の店舗等の事業者に貸与することができ、たとえばその店舗等には無償若しくは安価な価格でマットを貸与するとともに、別途宣伝、広告等を依頼された事業者から宣伝、広告料を徴収する等の事業を行うことができ、貸与品としての玄関マットを、従来とは全く異なる流通過程に適用することができるという効果がある。
【００１７】
また宣伝、広告等を依頼する依頼者にとっては、マットを保有する事業者に宣伝、広告料等を支払ったとしても、マットの貸与を受ける店舗等の事業者への販路を有していなかった場合には、新たな販路を構築することができ、販路の拡張等により
大きな宣伝、広告効果を享受することができる。
【発明を実施するための最良の形態】
【００１８】
以下、本発明の実施形態について説明する。
【００１９】
（実施形態１）
本実施形態のマットは、図１及び図２に示すように、マット本体１と、宣伝、広告、社名、商品名等の表示をなすための表示体２とを具備して構成されたものである。表示体２は、さらに窓用シート３と、表示用シート４と、カバー体５と、背面側保持シート６とを具備して構成されている。これらマット本体１、窓用シート３、表示用シート４、カバー体５、背面側保持シート６は、いずれも平面略長方形状に形成されたものである。
【００２０】
マット本体１は、合成樹脂、合成ゴム等の素材で構成され、窓用シート３は、透明なアクリル樹脂等の合成樹脂で構成されたものである。また表示用シート４は、所望の宣伝、広告、社名、商品名等の文字等が表示されたものであり、合成樹脂、合成ゴム、金属等の各種の素材で構成されている。この表示用シート４に表示された宣伝、広告、社名、商品名等の文字等が、前記透明な窓用シート３を介して表示体２の表面に現出されることとなる。
【００２１】
カバー体５は、全体が合成樹脂等で構成されており、図５乃至図７に示すように、周縁部７が立ち上がり形成され、その周縁部７の内側が、前記窓用シート３及び表示用シート４を嵌合することのできる凹部８として形成されている。またカバー体５の裏面側には、多数の突起９が下向きに突設されている。さらに該カバー体５の前記周縁部７の裏面側であって、長手方向の左右両側には、枢支部１０が１対ずつ設けられ、該枢支部１０には枢支孔１１が穿設されている。
【００２２】
背面側保持シート６は、全体が合成樹脂等で構成された薄いプレート状のものであり、前記カバー体５が重ね合わされた際に、該カバー体５の前記枢支部１０の外側に重なり合う枢支部１２が図８に示すように１対ずつ設けられ、該枢支部１２には図９に示すように枢支孔１３が穿設されている。また図１０に示すように一方の枢支部１２に近接して背面側保持シート６に孔１５が穿設されているとともに、該孔１５に臨出するように、スプリング１６を保持するためのスプリング保持部１４が形成されている。
【００２３】
そして、図３及び図４に示すように、前記カバー体５の枢支部１０の孔１１と、背面側保持シート６の枢支部１２の孔１３とに枢支ピン１７を挿通し、さらに該枢支ピン１７にスプリング１６を巻回させる。スプリング１６の一端側は、前記スプリング保持部１４に挿通させる。このようにして、カバー体５が背面側保持シート６に対して前記枢支ピン１７を中心として回動自在に取り付けられることとなる。
【００２４】
また、図３に示すように、前記表示用シート４は前記カバー体５の凹部８内に嵌合されており、窓用シート３は、前記カバー体５の周縁部７と凹部８間の段差部１８に係止されている。
【００２５】
さらに、マット本体１は、前記カバー体５と背面側保持シート６とで挟持されている。このように挟持された状態で、マット本体１にはカバー体５の裏面側に突設された突起９が突き刺された状態とされている。
【００２６】
そして、このような構成からなるマットを保有する事業者が、そのマットを使用する場合には、たとえば宣伝、広告等を依頼された事業者の宣伝、広告、社名、商品名等の情報を前記表示体シート４に表示し、その表示体シート４を上記のように
カバー体５の凹部８内に嵌合し、また窓用シート３をカバー体５の段差部１８に係止させ、さらにマット本体１をカバー体５と背面側保持シート６との間で挟持させた状態で、各種の店舗等の事業者へ貸与すべく、その店舗等の事業者の事業所の入口に設置する。
【００２７】
マット本体１を交換する場合には、該カバー体５の裏面側の突起９をマット本体１から抜き取りつつ、前記カバー体５を前記背面側保持シート６に対して回動させる。これによってカバー体５と背面側保持シートとで挟持されていた状態を解除することができ、マット本体１を表示体２から取り外すことができる。
【００２８】
取り外されたマット本体１は、洗浄或いは交換等することができ、洗浄後の或いは新しいマット本体１が、前記カバー体５と背面側保持シート６間で再度挟持され、
再度、貸与先の店舗等の玄関先に設置されることとなる。マット本体１の洗浄は、たとえば２週間に１回等行われる。
【００２９】
この場合において、マット本体１は取り替えられ、交換等されるが、表示体２としては同じものが用いられる。従って、表示体２に具備された表示体シート４には、同じ宣伝、広告、社名、商品名等の情報が継続して表示されることとなる。この結果、マットを保有する事業者は、宣伝、広告等の表示を依頼されている事業者から、
定期的に宣伝、広告料等を徴収することが可能となる。
【００３０】
一方、マットの貸与先である店舗等の事業者からは、一般には定期的に貸与料等が徴収されるが、本実施形態では、表示体２に対してマット本体１を着脱自在としているため、同じ情報を継続的に表示する表示体２によって、その情報の保有者である宣伝、広告等の依頼先である事業者から宣伝、広告料などを徴収することができ、その結果、マットを設置している別の店舗等の事業者に対しては、貸与料を安価にするか若しくは無償で貸与する等のサービスを行うことが可能となり、場合によっては洗浄などのサービスも無償で行うことが可能となる。従って、貸与品としての玄関マットを、従来とは全く異なる流通過程に適用することが可能となる。
【００３１】
一方、宣伝、広告等を依頼する者としても、その依頼者が経済力のある事業者であれば、たとえ有償でマットを保有する事業者に宣伝、広告料等を支払ったとしても、マットの貸与を受ける店舗等の事業者への販路を有しない場合には、大きな宣伝、広告効果を享受することができるのである。
【００３２】
（実施形態２）
本実施形態では、カバー体５の形状が上記実施形態１と相違している。すなわち、本実施形態においては、図１１乃至図１５に示すように、カバー体本体５ａの片側に延出片１９が一体的に延出されることによってカバー体５が構成されており、この点でこのような延出片１９が存在しない上記実施形態１の場合と相違する。
【００３３】
マット本体１は、図１２及び図１３に示すように、前記カバー体５の延出片１９に載置され、この点で、カバー体５と背面側保持シート６との間で挟持されてマット本体１が取り付けられていた実施形態１の場合と相違する。このように延出片１９にマット本体１が載置される結果、本実施形態においては上記実施形態１の背面側保持シート６のようなものは設けられていない。
【００３４】
カバー体５（カバー体本体５ａ）の周縁部７が立ち上がり形成されて、その周縁部７の内側に凹部８が形成され、該凹部８内に表示用シート４が嵌合されている点、
窓用シート３が、カバー体５（カバー体本体５ａ）の周縁部７と凹部８間の段差部１８に係止されている点は、上記実施形態１と同じである。
【００３５】
本実施形態においては、マットを保有する事業者は、宣伝、広告等を依頼された事業者の宣伝、広告等の情報を前記表示体シート４に表示し、その表示体シート４をカバー体５の凹部８内に嵌合し、また窓用シート３をカバー体５の段差部１８に係止させ、さらにマット本体１をカバー体５の延出片１９に載置した状態で、各種の店舗等の事業者へ貸与すべく、その店舗等の事業所の入口に設置する。
【００３６】
マット本体１を交換する場合には、延出片１９からマット本体１を持ち上げることによって、表示体２から取り外すことができる。取り外されたマット本体１は、実施形態１と同様に洗浄或いは交換等することができ、洗浄後の或いは新しいマット本体１が、前記カバー体５の延出片１９に再度載置され、再度、貸与先の店舗等の事業所の入口に設置されることとなる。
【００３７】
本実施形態においても、表示体２に具備された表示体シート４には、同じ宣伝、広告、社名、商品名等の情報が継続して表示され、マットを保有する事業者は、宣伝、広告等の表示を依頼されている事業者から、定期的に宣伝、広告料等を徴収することが可能となり、マットを設置している店舗等の事業者に対しては、貸与料を安価にするか若しくは無償で貸与する等のサービスを行うことが可能となる。
【００３８】
（その他の実施形態）
尚、上記実施形態では、表示用シート４が合成樹脂、合成ゴム、金属等の各種の素材で構成され、そのような表示用シート４に所望の宣伝、広告、社名、商品名等の文字等が表示されていたが、表示用シート４の材質は該実施形態に限定されるものではなく、たとえば有機エレクトロルミネッセンス（ＥＬ）や発光ダイオード（ＬＥＤ）等で表示用シート４が発光するように構成することも可能である。
【００３９】
また上記実施形態では、宣伝、広告等を依頼された事業者の宣伝、広告等の情報を表示体２に継続的に表示して宣伝、広告料等を徴収する観点から、表示体２に表示する情報として固定された情報を表示することを前提として説明したが、表示体２に表示する情報は上記実施形態のような固定された情報に限定されるものではなく、一定期間ごとに供給する情報を更新等する流動的な情報を表示することも可能である。
【００４０】
この場合には、表示体２をたとえば液晶表示装置のディスプレイのようなもので構成し、そのディスプレイに受信器を接続し、パーソナルコンピュータや携帯電話などからその受信器に必要な情報を供給する等によって、流動的な情報を供給することが可能となる。
【００４１】
さらに、表示体２に表示される情報は、上記実施形態のような宣伝、広告等の私的な情報に限定されるものではなく、公共的な情報を表示することも可能である。また、表示される情報は文字に限らず、画像等を表示することも可能であり、流動的な情報を供給する場合には、動画を表示することも可能である。また、流動的な情報を供給する場合、業者別に選択的に情報を供給することができる他、全業者に同じ情報を一斉に供給するようなことも可能である。
【００４２】
さらに、マットを設置する箇所も上記実施形態のようなレストラン、喫茶店、小売店、ホテル等の店舗に限らず、これ以外の店舗であってもよく、また店舗以外の一般の企業などの事業所に設置するようなことも可能である。
【００４３】
さらに、上記実施形態では、マット本体１が合成樹脂、合成ゴム等によって構成される場合について説明したが、マット本体１の材質も該実施形態に限定されるものではない。また窓用シート３の材質も該実施形態のアクリル樹脂等に限定されるものではなく、カバー体５や背面側保持シート６の材質も合成樹脂等に限定されない。
【００４４】
さらに、マット本体１、窓用シート３、表示用シート４、カバー体５、背面側保持シート６の上記実施形態の平面略長方形状に限定されるものではなく、正方形状、三角形状、円形等に形成することも可能である。
【００４５】
さらに、カバー体５の構造も、上記実施形態１や実施形態２のような構造のものに限定されるものではない。従って、表示体２の構成も適宜設計変更可能である。
【図面の簡単な説明】
【００４６】
【図１】一実施形態のマットの分解斜視図。
【図２】同マットの平面図。
【図３】図２のＡ−Ａ線拡大断面図。
【図４】図２のＢ−Ｂ線拡大断面図。
【図５】同実施形態のカバー体の平面図。
【図６】同実施形態のカバー体の底面図。
【図７】図５のＣ−Ｃ線断面図。
【図８】同実施形態の背面側保持シートの平面図。
【図９】同実施形態の背面側保持シートの側面図。
【図１０】図８のＤ−Ｄ線拡大断面図。
【図１１】他実施形態のマットの分解斜視図。
【図１２】同マットの平面図。
【図１３】図１２のＥ−Ｅ線拡大断面図。
【図１４】同実施形態のカバー体の平面図。
【図１５】図１４のＦ−Ｆ線断面図。
【符号の説明】
【００４７】
１…マット本体            ２…表示体
３…窓用シート            ４…表示用シート
５…カバー体              ６…背面側保持シート
１９…延出片
【図１】
2007322828.tif 000003
【図２】
2007322828.tif 000004
【図３】
2007322828.tif 000005
【図４】
2007322828.tif 000006
【図５】
2007322828.tif 000007
【図６】
2007322828.tif 000008
【図７】
2007322828.tif 000009
【図８】
2007322828.tif 000010
【図９】
2007322828.tif 000011
【図１０】
2007322828.tif 000012
【図１１】
2007322828.tif 000013
【図１２】
2007322828.tif 000014
【図１３】
2007322828.tif 000015
【図１４】
2007322828.tif 000016
【図１５】
2007322828.tif 000017